(57)【要約】【課題】  通気性を良くして、洗濯物を良く乾燥できるようにすると共に、種々の大きさや形状の洗濯物に適応でき、また、どのような吊り下げ場所でも適応できるようにしたハンガーを提供する。【解決手段】  アーム部１１が形成された棒部材１０とフックを有する吊下部１２と連結部１３とからなり、連結部１３に２つの棒部材１０を回動自在に取り付ける。アーム部１１を回動させ、２つのアーム部１１が閉じた状態と開いた状態に固定することができる。アーム部１１を開いた状態にすると、通気性が良くなり、洗濯物が良く乾燥できるようになる。また、吊下部１２のフック２１を回動自在とし、アーム部１１を所望の角度に離散的に固定できる。また、アーム部の両端に、延長アーム部を回動自在に取り付けることによって、洗濯物を支持する部分の長さを、調整することができる。【選択図】        図１
0003125826.tif 000002
【実用新案登録請求の範囲】
【請求項１】
それぞれが係合部とアーム部とから構成される２本の棒部材と、
フックを有する吊下部と、
前記吊下部と前記２本の棒部材とを連結する連結部とからなり、
前記棒部材の各係合部には所定角だけ離れた第１および第２の突起が形成され、
前記連結部の底面には、前記各係合部の突起に対応した凹部が形成され、
前記各係合部の前記第１の突起を前記凹部に係合したときに前記アーム部を閉じた状態で固定し、前記各係合部の前記第２の突起を前記凹部に係合したときに前記アーム部を開いた状態で固定することを特徴とするハンガー。
【請求項２】
前記吊下部の円筒部の底部には突起が形成され、
前記連結部の上部孔の周囲には、前記突起と係合する複数の凹部が円状に所定間隔毎に設けられ、
前記吊下部を離散的に回動させ、所定の回動位置で、前記吊下部を固定できるようにしたことを特徴とする請求項１に記載のハンガー。
【請求項３】
前記アーム部の両端に、回動自在に取り付けられる延長アーム部を設け、
前記延長アーム部は突出片を有し、前記延長アーム部が前記アーム部の両端から延長される状態としたとき、前記突出部が前記アーム部の下側に当接することを特徴とする請求項２に記載のハンガー。
【請求項４】
前記アーム部に、複数のフックを設けるようにしたことを特徴とする請求項３に記載のハンガー。
【考案の詳細な説明】
【技術分野】
【０００１】
本考案は、洗濯物を干すのに用いて好適なハンガーに関するもので、特に、アーム部を開いて、洗濯物を乾燥し易くするようにしたハンガーに関する。
【背景技術】
【０００２】
針金を折り曲げて形成した針金ハンガーは、洗濯物を吊り下げて干すのに良く用いられている。ところが、針金ハンガーは、形が崩れやすく、重い洗濯物を針金ハンガーに干すと、その重みで、ハンガーが曲がってしまう。また、針金の先端が洗濯物に引っ掛かり、洗濯物を傷めてしまうことがある。
【０００３】
また、針金ハンガーの代わりに、樹脂製で一体成形されたハンガーが用いられる。このようなハンガーの場合には、洗濯物を傷めることは少ない。ところが、樹脂で一体成形されたハンガーでは、その形が決まっており、多様な大きさや形の洗濯物に対応できない。また、樹脂で一体成形されたハンガーでは、フックの向きが固定されているもの、またはフックが自由に回転するものがある。フックの向きが固定されたものでは、吊り下げる場所によっては、洗濯物が壁や窓に当たってしまうことがある。また、フックが自由に回転するものでは、洗濯物を干した後ハンガーが風によって回転するために、やはり洗濯物が壁や窓に当たってしまうという欠点があった。
【０００４】
また、従来より、洗濯物を広げて干すタイプのハンガーとして、各種のものが提案されている。例えば、特許文献１には、一対のハンガー部と、各々のハンガーを接続する架橋部と、フック体脚部と架橋部とを接合する関節部とから構成され、一対のハンガーの間隔を広げることで、通気性を良くし、洗濯物を乾燥させやすくしたハンガーが提案されている。
【０００５】
また、例えば、特許文献２には、ハンガー本体の両端に回動軸を設け、ハンガー本体の両端を回動させて、その先端部に設けた回動軸を広げることで、種々の大きさの洗濯物に対応できるようにしたものが提案されている。
【特許文献１】特開２００１−１６２０９３号公報
【特許文献２】特開２００５−１２８５１号公報
【考案の開示】
【考案が解決しようとする課題】
【０００６】
ところが、特許文献１のハンガーは、洗濯物の大きさや形状、洗濯物を吊り下げる場所に対応させることについては、何等、考慮されていない。また、特許文献１のハンガーでは、２つのハンガー部が離れて固定されている。このため、２つのハンガー部を折り畳んでも、２つのハンガー部が離れているために、通常のハンガーと同様の小型のものとはならない。
【０００７】
また、特許文献２のハンガーは、ハンガーの両端が下方にも回動するため、ハンガーに重い衣類を吊り下げると、ハンガーの両端が折れ曲がってしまうおそれがある。
【０００８】
本考案は、上述の課題を鑑み、通気性を良くして、洗濯物を良く乾燥できるようにすると共に、種々の大きさや形状の洗濯物に適応でき、また、どのような吊り下げ場所でも適応できるようにしたハンガーを提供することを目的とする。
【課題を解決するための手段】
【０００９】
上述の課題を解決するために、本考案は、それぞれが係合部とアーム部とから構成される２本の棒部材と、フックを有する吊下部と、前記吊下部と前記２本の棒部材とを連結する連結部とからなり、前記棒部材の各係合部には所定角だけ離れた第１および第２の突起が形成され、前記連結部の底面には、前記各係合部の突起に対応した凹部が形成され、前記各係合部の前記第１の突起を前記凹部に係合したときに前記アーム部を閉じた状態で固定し、前記各係合部の前記第２の突起を前記凹部に係合したときに前記アーム部を開いた状態で固定することを特徴とする。
【００１０】
好ましくは、前記吊下部の円筒部の底部には突起が形成され、前記連結部の上部孔の周囲には、前記突起と係合する複数の凹部が円状に所定間隔毎に設けられ、前記吊下部を離散的に回動させ、所定の回動位置で、前記吊下部を固定できるようにしたことを特徴とする。
【００１１】
好ましくは、前記アーム部の両端に、回動自在に取り付けられる延長アーム部を設け、
前記延長アーム部は突出片を有し、前記延長アーム部が前記アーム部の両端から延長される状態としたとき、前記突出部が前記アーム部の下側に当接することを特徴とする。
【００１２】
好ましくは、アーム部に、複数のフックを設けるようにしたことを特徴とする。
【考案の効果】
【００１３】
本考案によれば、それぞれが係合部とアーム部とから構成される２本の棒部材と、フックを有する吊下部と、前記吊下部と前記２本の棒部材とを連結する連結部とからなり、前記棒部材の各係合部には所定角だけ離れた第１および第２の突起が形成され、前記連結部の底面には、前記各係合部の突起に対応した凹部が形成され、前記各係合部の前記第１の突起を前記凹部に係合したときに前記アーム部を閉じた状態で固定し、前記各係合部の前記第２の突起を前記凹部に係合したときに前記アーム部を開いた状態で固定するようにしている。このため、アーム部を開くと、２つのアーム部にまたがって干した洗濯物内の空気の流通が良くなり、洗濯物を効率的に乾燥させることができる。また、アーム部を閉じると、通常のハンガーと同様に使用できると共に、２本のハンガーで洗濯物を吊り下げるため、強度が向上する。
【００１４】
また、本考案によれば、前記吊下部の円筒部の底部には突起が形成され、前記連結部の上部孔の周囲には、前記突起と係合する複数の凹部が円状に所定間隔毎に設けられ、前記吊下部を離散的に回動させ、所定の回動位置で、前記吊下部を固定できるようにしている。これにより、アーム部を所望の位置で確実に固定できる。このため、アーム部を所望の回動位置に確実に固定できるため、ハンガーに干した洗濯物が壁や窓に当たることがなくなり、物干し竿や洗濯ロープ、軒下の庇や桟、カーテンレール等、様々な場所に、吊り下げて使用することが可能である。
【００１５】
また、本考案によれば、アーム部の両端に、回動自在に取り付けられる延長アーム部を設け、前記延長アーム部は突出片を有し、延長アーム部がアーム部の両端から延長される状態としたとき、前記突出部が前記アーム部の下側に当接するようにしている。これにより、洗濯物を支持する部分の長さを、例えば男性用の洗濯物と女性用の洗濯物の肩幅に合わせて、調整することができる。また延長アームの支持部がアーム部の下側に当接するため、延長アームの動きが規制され、重い洗濯物を吊り下げたときにも、延長アームが折れ曲がることがない。
【００１６】
また、本考案によれば、アーム部に、複数のフックを設けるようにしている。このフックを使えば、たとえば、アーム部に干したシャツの内側にストッキング等を吊り下げることができ、アーム部に干した洗濯物によりストッキングが保護されるため、ストッキングが伝染しにくくなる。また、フックに吊した洗濯物はアーム部に干した洗濯物の陰に隠れるので、女性物の下着等を安心して干すことができる。
【考案を実施するための最良の形態】
【００１７】
第１実施形態．
以下、本考案の実施の形態について図面を参照しながら説明する。図１（Ａ）および（Ｂ）は、本考案の第１実施形態のハンガーのアーム部を閉じたときの状態及を示す斜視図である。図１（Ｃ）および（Ｄ）は、本考案の第１実施形態のハンガーのアーム部を開いたときの状態を示す斜視図である。図１（Ｂ）はアーム部１１ａ、１１ｃが閉じた状態を側面から見た図を表している。図１（Ｄ）はアーム部１１ａ、１１ｃが開いた状態を側面から見た図を表している。図１（Ａ）および（Ｃ）に示すように、本考案の第１実施形態のハンガー１は、２本の棒部材１０ａ、１０ｂ、吊下部１２、および連結部１３からなる。各棒部材１０ａ、１０ｂはそれぞれアーム部１１ａ、１１ｂ、アーム部１１ｃ、１１ｄとからなる。アーム部１１ａ、１１ｂ、アーム部１１ｃ、１１ｄの断面形状は円形で表示されているが、矩形形状でもよい。これら棒部材１０ａ、１０ｂ、吊下部１２、連結部１３は、例えば、合成樹脂から形成される。また、これら棒部材１０ａ、１０ｂ、吊下部１２、連結部１３を、金属で成形するようにしても良い。
【００１８】
図１（Ａ）および（Ｂ）に示すように、アーム部１１ａ、１１ｃは平行に並んでいるので、通常のアームが１本の場合と同様の使用ができる。一方、図１（Ｃ）および（Ｄ）に示すように、アーム部１１ａ、１１ｃはVの字状に開いているので、シャツ等の内部を広げた状態で洗濯物を干すことができる。
【００１９】
棒部材１０ａは、図２（Ａ）に示すように、係合部１５ａと、その係合部１５ａの端部の屈曲部１７ａ、１７ｂでくの字形に屈曲されたアーム部１１ａ、１１ｂからなり、それらのアーム部１１ａ、１１ｂは、同一形状に形成されている。図２（Ｂ）は、図２（Ａ）のＡ−Ａ線で切断した端面図を表している。図２（Ｂ）に示すように、棒部材１０ａの係合部１５ａには、２つの突起１４ａ、１４ｂが所定の角度θ（例えば２０度〜４５度）だけ離れて形成されている。突起１４ａ、１４ｂの断面形状は、図２（Ｂ）では三角形で表示してあるが、半円形状や半楕円形状であってもよい。
【００２０】
図３は、本考案の第１実施形態の吊下部の構成を示す斜視図である。吊下部１２は、物干し竿や洗濯ロープ、軒下の庇や桟、カーテンレール等にハンガー１を吊り下げる部分である。吊下部１２には、図３に示すように、？字形をなすフック２１と、吊下部１２の基台をなす円筒部２２と、吊下部１２を連結部１３に取り付けるための連結棒２３とが設けられる。連結棒２３の先端には、吊下部１２を連結部１３に取り付けたときに、吊下部１２が連結部１３から抜けないように、二股に割られた二股部２５が形成される。円筒部２２の底面には、突起２４ａ、２４ｂが形成されている。突起２４ａ、２４ｂの断面形状は、図３では三角形で表示してあるが、半円形状や半楕円形状であってもよい。
【００２１】
図４は、本考案の第１実施形態のハンガーの連結部の構成を示す図である。図４（Ａ）は、ハンガーの連結部の斜視図を示す図である。図４（Ｂ）は、図４（Ａ）のＢ−Ｂ線で切断した端面図である。図４（Ｃ）は、図４（Ａ）に示す連結部１３を上面から見た平面図である。図４（Ａ）に示すように、連結部１３には、２つの棒部材１０ａ、１０ｂが挿入される棒部材挿入孔３１ａ、３１ｂが水平方向に並んで形成されると共に、吊下部１２の上部孔３２および下部孔３４が垂直方向に一対に形成されている。棒部材挿入孔３１ａ、３１ｂの内径は、棒部材１０ａ、１０ｂのそれぞれの係合部１５ａ、１５ｂの外形に対応している。連結部１３の底板３３の上面には、棒部材１０ａ、１０ｂのそれぞれの係合部１５ａ、１５ｂと係合する位置に、図４（Ｂ）の端面図に示すように、凹部３５ａ、３５ｂが形成される。凹部３５ａは棒部材１０ａの突起１４ａ、１４ｂ（図７（Ａ）および（Ｂ）参照）と係合し、凹部３５ｂは、棒部材１０ｂの突起１４ｃ、１４ｄ（図７（Ａ）および（Ｂ）参照）と係合する。凹部３５ａ、凹部３５ｂの断面形状は、図４、図７では三角形で表示してあるが、半円形状や半楕円形状であってもよい。
【００２２】
上部孔３２および下部孔３４の内径は、吊下部１２の連結棒２３（図３参照）の外径に対応している。上部孔３２の周囲には、図４（Ｃ）に示すように、例えば、４５度間隔に、８個の凹部４１が設けられている。凹部４１は、吊下部１２の円筒部２２の突起２４ａ、２４ｂと係合するように形成される（図３参照）。凹部４１の断面形状は、図４、図６では三角形で表示してあるが、半円形状や半楕円形状であってもよい。
【００２３】
図５は、本考案の第１実施形態のハンガーの分解斜視図である。図５に示すように、連結部１３の上部孔３２内に、吊下部１２の連結棒２３が挿入される。連結棒２３を上部孔３２に挿入すると、下部孔３４から突出した連結棒２３の先端の二股部２５が広がり、吊下部１２が連結部１３に回動自在に取り付けられると共に、下部孔３４から二股部２５が抜けなくなる。そして、図６に示すように、円筒部２２の底面の突起２４ａ、２４ｂが上部孔３２の上部の周囲に形成された凹部４１に係合される。
【００２４】
また、図５に示すように、棒部材挿入孔３１ａ、３１ｂ内に、棒部材１０ａ、１０ｂがそれぞれ回動自在に挿入され、棒部材１０ａの係合部１５ａの突起１４ａまたは１４ｂ（図２（Ｂ）参照）、および棒部材１０ｂの係合部１５ｂの突起１４ｃまたは１４ｄ（図７参照）が連結部１３の底板３３に形成された凹部３５ａ、３５ｂ（図４（Ｂ）参照）とそれぞれ係合される。
【００２５】
このように、本考案の第１実施形態のハンガー１では、２本の棒部材１０ａ、１０ｂがそれぞれ連結部１３の棒部材挿入孔３１ａ、３１ｂ内に挿入され、棒部材１０ａの係合部１５ａの突起１４ａまたは１４ｂが連結部１３の底板３３に形成された凹部３５ａと係合し、また棒部材１０ｂの係合部１５ｂの突起１４ｃまたは１４ｄが連結部１３の底板３３に形成された凹部３５ｂと係合する。このため、棒部材１０ａ、１０ｂを回動させると、棒部材１０ａ、１０ｂは、突起１４ａと突起１４ｂとの角度θに対応した２つの位置で固定される。これにより、アーム部１１ａと１１ｃが閉じた状態と、開いた状態とに設定できる。
【００２６】
図７（Ａ）は、図１（Ａ）および（Ｂ）に示したように、アーム部１１ａ、１１ｃを閉じたときの連結部１３のＣ−Ｃ線端面図であり、図７（Ｂ）は、図１（Ｃ）および（Ｄ）に示したように、アーム部１１ａ、１１ｃを閉じたときの連結部１３のＤ−Ｄ線端面図である。
【００２７】
図１（Ａ）および（Ｂ）に示すように、アーム部１１ａ、１１ｃを矢印Ａ１およびＡ２方向に示すように内側に回動させると、図７（Ａ）に示すように、棒部材１０ａの係合部１５ａの突起１４ａまたは１４ｂが連結部１３の底板３３に形成された凹部３５ａと係合し、棒部材１０ｂの係合部１５ｂの突起１４ｃまたは１４ｄが連結部１３の底板３３に形成された凹部３５ｂと係合する。棒部材１０ａの係合部１５ａの突起１４ａが凹部３５ａと係合し、棒部材１０ｂの係合部１５ｂの突起１４ｃが凹部３５ｂと係合しているときには、図１（Ａ）および（Ｂ）に示すように、ハンガー１のアーム部１１ａ、１１ｃが閉じた状態で固定される。ハンガー１のアーム部１１ａ、１１ｃが閉じた状態のときには、本願のハンガーを通常のハンガーと同様に使用することができる。このとき、２本の棒部材１０ａ、１０ｂで洗濯物が支持されるため、通常のハンガーに比べて、強度を上げることができる。
【００２８】
図１（Ｃ）および（Ｄ）に示すように、アーム部１１ａ、１１ｃを矢印Ａ３およびＡ４に示すように外側に回動させると、図７（Ｂ）に示すように、棒部材１０ａの係合部１５ａの突起１４ｂが連結部１３の底板３３に形成された凹部３５ａと係合し、棒部材１０ｂの係合部１５ｂの突起１４ｄが連結部１３の底板３３に形成された凹部３５ｂと係合する。棒部材１０ａの係合部１５ａの突起１４ｂが凹部３５ａと係合し、棒部材１０ｂの係合部１５ｂの突起１４ｄが凹部３５ｂと係合しているときには、図１（Ｃ）および（Ｄ）に示すように、ハンガー１のアーム部１１ａ、１１ｃが開いた状態で固定される。ハンガー１のアーム部１１ａ、１１ｃを開いた状態にすると、洗濯物の通気が良くなり、洗濯物が良く乾燥できるようになる。
【００２９】
なお、ここでは、棒部材１０ａの係合部１５ａに、２つの突起１４ａ、１４ｂを設け、棒部材１０ｂの係合部１５ｂに２つの突起１４ｃ、１４ｄを設けているが、それぞれ３つ以上の突起を設けるようにしても良い。複数の突起を設ければ、アーム部を多段の位置で固定することができ、アーム部の開き角度を微細に調整することができる。
【００３０】
また、本考案の第１実施の形態では、図６に示したように、連結部１３の上部孔３２内に、吊下部１２の連結棒２３が挿入され、円筒部２２の底面の突起２４ａ、２４ｂが上部孔３２の周囲の凹部４１に係合される。このため、吊下部１２を回動させ、フック２１の角度を所望の角度で離散的に固定することができる。これにより、本考案の第１実施形態の洗濯用のハンガー１では、ハンガー１の棒部材１０の向きが特定される。したがって、干した洗濯物が壁や窓に当たることがなくなり、物干し竿や洗濯ロープ、軒下の庇や桟、カーテンレール等、様々な場所に、洗濯物の方向を特定して吊り下げることが可能である。
【００３１】
第２実施形態．
図８は、本考案の第２実施形態のハンガー１０１を示すものである。この第２実施形態では、アーム部１１ａ、１１ｂ、および１１ｃ、１１ｄには、複数のフック１６ａ〜１６ｄおよび１６ｅ〜１６ｈが設けられている。このフック１６ａ〜１６ｄおよび１６ｅ〜１６ｈは、キャミソールやスリップ等の女性物に下着等を干すのに利用できる。
【００３２】
つまり、この第２の実施形態では、アーム部１１ａ、１１ｃを開いて洗濯物を干すときに、このフック１６ａ〜１６ｄおよび１６ｅ〜１６ｈに吊した洗濯物はアーム部１１ａ、１１ｂ、１１ｃ、１１ｄに干した洗濯物の陰に隠れ、フック１６ａ〜１６ｄおよび１６ｅ〜１６ｈに吊り下げた洗濯物は外からは見えない。このため、フック１６ａ〜１６ｄおよび１６ｅ〜１６ｈを使えば、女性物の下着を安心して干すことができる。また、フック１６ａ〜１６ｄおよび１６ｅ〜１６ｈにストッキングを吊り下げると、アーム部１１ａ、１１ｂ、１１ｃ、１１ｄに干した洗濯物によりストッキングが外部の物体と接触することを阻止するために、ストッキングは伝染しにくくなる。更に、このフック１６ａ〜１６ｄおよび１６ｅ〜１６ｈを利用して、ズボンやスカートを干すこともできる。他の構成については、前述の第１実施形態と同様であり、その説明を省略する。
【００３３】
第３実施形態．
図９は、本考案の第３実施形態のハンガー２０１を示すものである。図９（Ａ）は、本考案の第３実施形態のハンガー２０１の延長アーム部を折りたたんだ様子を示す斜視図である。図９（Ｂ）は、本考案の第３実施形態のハンガー２０１の延長アーム部を延長した様子を示す斜視図である。図９（Ｃ）は、本考案の第３実施形態のハンガー２０１の延長アーム部を示す斜視図である。図９（Ｄ）は、本考案の第３実施形態のハンガー２０１の延長アーム部を線Ｅ−Ｅから矢印の方向に見た図である。
【００３４】
この第３の実施形態では、アーム部１１ａ、１１ｂの先端に、それぞれ延長アーム部５１ａ、５１ｂが設けられる。図示されていないが、アーム部１１ｃおよび１１ｄの先端にも、それぞれ延長アーム部５１ｃ、５１ｄが同様に設けられる。図９（Ｃ）に示すように、延長アーム部５１ａは、一端に突出片５３ａを有する。図９（Ｄ）において、延長アーム部５１ａを支持する支持部５４ａに開けられた孔５７ａにピン５６ａを貫通させて、延長アーム部５１ａをアーム部１１ａに回動自在に取り付けた様子を示す。延長アーム部５１ｂ、５１ｃ、５１ｄについても同様であるので詳細な説明を省略する。図９（Ｃ）、（Ｄ）においては、延長アーム部５１ａの断面は矩形状になっているが、延長アーム部５１ａの断面は半円形状にしてもよい。
【００３５】
図９（Ａ）に示すように、延長アーム部５１ａ、５１ｂをそれぞれ矢印Ｂ１およびＢ２に示すように回動させると、アーム部１１ａ、１１ｂの両端に、それぞれ延長アーム部５１ａ、５１ｂが折り畳まれた状態となる。延長アーム部５１ａがアーム部１１ａに折り畳まれたときに延長アーム部５１ａと重なるアーム部１１ａの部分には切り欠き部５２ａが設けられる。一方、図９（Ｂ）に示すように、延長アーム部５１ａ、５１ｂを矢印Ｂ３およびＢ４の方向に回動させると、延長アーム部５１ａ、５１ｂがそれぞれアーム部１１ａ、１１ｂの先端から延長される状態となる。延長アーム部５１ｃ、５１ｄについても同様であるので詳細な説明を省略する。
【００３６】
このように、本考案の第３実施形態では、アーム部１１ａ、１１ｂの先端に、延長アーム部５１ａ、５１ｂが設けられる。この延長アーム部５１ａ、５１ｂにより、洗濯物を支持する部分の長さを、例えば肩幅の広い洗濯物と肩幅の狭い洗濯物の肩幅に合わせて、調整することができる。延長アーム部５１ｃ、５１ｄについても同様であるので詳細な説明を省略する。
【００３７】
また、図９（Ｂ）に示すように、延長アーム部５１ａ、５１ｂがアーム部１１ａ、１１ｂの先端から延長する状態となったとき、延長アーム部５１ａ、５１ｂの突出片５３ａ、５３ｂがそれぞれアーム部１１ａ、１１ｂの下側に当接する。このため、延長アーム部５１ａ、５１ｂの動きが規制され、重い洗濯物を吊り下げたときでも、延長アーム部５１ａ、５１ｂが折れ曲がることがない。他の構成については、前述の第１実施形態と同様であり、その説明を省略する。延長アーム部５１ｃ、５１ｄについても同様であるので詳細な説明を省略する。
【００３８】
本考案は、上述した実施形態に限定されるものではなく、この考案の要旨を逸脱しない範囲内で様々な変形や応用が可能である。
【産業上の利用可能性】
【００３９】
本考案は、洗濯物を干すのに用いるハンガーとして利用することができる。
【図面の簡単な説明】
【００４０】
【図１】本考案の第１実施形態のハンガーのアーム部を閉じたときの状態およびアーム部を開いたときの状態を示す斜視図である。
【図２】本考案の第１実施形態のハンガーの棒部材の構成を示す側面図および端面図である。
【図３】本考案の第１実施形態のハンガーの吊下部の構成を示す斜視図である。
【図４】本考案の第１実施形態のハンガーの連結部の構成を示す斜視図、端面図、および平面図である。
【図５】本考案の第１実施形態のハンガーの分解斜視図である。
【図６】本考案の第１実施形態のハンガーの吊下部の回動機構の説明に用いる分解斜視図である。
【図７】本考案の第１実施形態のハンガーのアーム部の開閉機構の説明に用いる端面図である。
【図８】本考案の第２実施形態のハンガーの構成を示す斜視図である。
【図９】本考案の第３実施形態のハンガーの構成を示す図である。
【符号の説明】
【００４１】
１，１０１，２０１  ハンガー
１０，１０ａ，１０ｂ  棒部材
１１ａ〜１１ｄ  アーム部
１２  吊下部
１３  連結部
１４ａ，１４ｂ  突起
１５  係合部
１６ａ〜１６ｄおよび１６ｅ〜１６ｈ  フック
１７ａ，１７ｂ  屈曲部
２１  フック
２２  円筒部
２３  連結棒
２５  二股部
２４ａ，２４ｂ  突起
３１ａ，３１ｂ  棒部材挿入孔
３２  上部孔
３３  底板
３４  下部孔
３５ａ，３５ｂ  凹部
４１  凹部
５１ａ，５１ｂ  延長アーム部
５２ａ，５２ｂ  切り欠き部
５３ａ，５３ｂ  突出片
５４ａ，５４ｂ  支持部
５６ａ  ピン
５７ａ  孔
【図１】
0003125826.tif 000003
【図２】
0003125826.tif 000004
【図３】
0003125826.tif 000005
【図４】
0003125826.tif 000006
【図５】
0003125826.tif 000007
【図６】
0003125826.tif 000008
【図７】
0003125826.tif 000009
【図８】
0003125826.tif 000010
【図９】
0003125826.tif 000011